(57)【要約】【課題】視線方向の感度が高まるようにマイクの感度を制御する。【解決手段】眼の視線情報を検出する眼電位センサ８ａ，８ｂと、マイク２Ｌ，２Ｒと、前記マイクの音声信号及び前記視線情報を用いて、前記眼の視線方向の感度を他の方向よりも高めるように前記マイクのポーラパターンを制御する制御部と、前記視線検出部及び前記マイクを頭部又は耳部に装着する装着部１５とを備える。また、制御部は、前記視線情報及び前記他の視線情報とを用いて、前記眼の視線方向の感度を他の方向よりも高めるようにマイク２Ｌ，２Ｒを制御する。【選択図】図３
2019054385.tif 000002
【特許請求の範囲】
【請求項１】
眼の視線情報を検出する視線検出部と、
マイクと、
前記視線検出部によって検出された前記視線情報を用いて、前記眼の視線方向の感度を他の方向よりも高めるように前記マイクを制御する制御部と、
を備えることを特徴とする集音機器。
【請求項２】
他の機器から、前記視線情報とは異なる他の視線情報を受信する受信部をさらに備え、
前記制御部は、前記視線情報及び前記他の視線情報とを用いて、前記眼の視線方向の感度を他の方向よりも高めるように前記マイクを制御する
ことを特徴とする請求項１に記載の集音機器。
【請求項３】
前記マイクは、第１マイクと、第２マイクとからなり、
前記制御部は、前記視線情報を用い、前記第１マイクの音声信号、及び前記第２マイクそれぞれを制御する
ことを特徴とする請求項１に記載の集音機器。
【請求項４】
前記視線検出部及び前記マイクを頭部又は耳部に装着する装着部を更に備え、
前記視線情報は、両眼の情報を用いたものであり、
前記マイクは、前記装着部の左右に備えられており、
前記制御部は、左右の前記視線情報を用いて、左右の前記マイクそれぞれを制御する
ことを特徴とする請求項１に記載の集音機器。
【請求項５】
前記視線検出部は、眼電位を検出することで視線を検出するものである
ことを特徴とする請求項１から４のいずれかに記載の集音機器。
【請求項６】
前記視線検出部は、撮像部によって撮像された眼の瞳孔又は光彩の位置から視線を検出する
ことを特徴とする請求項１から４のいずれかに記載の集音機器。
【請求項７】
眼の視線情報を検出する視線検出部と、
マイクと、
前記視線検出部が検出した前記視線情報を用いて、前記眼の視線方向の感度を他の方向よりも高めるように前記マイクを制御する制御部と、
スピーカと、
を備えることを特徴とする補聴器。
【請求項８】
前記制御部を耳部に装着する装着部を更に備え、
前記マイクは、前記装着部の上下方向に複数配設されている
ことを特徴とする請求項７に記載の補聴器。
【請求項９】
対になる他の補聴器から視線情報、及び音声信号を受信する受信部を更に備え、
制御部は、
前記視線検出部が検出した視線情報、及び前記受信部が受信した前記他の補聴器の視線情報を用いて、ユーザの眼の視線方向の感度を他の方向よりも高めるように前記マイクを制御する
ことを特徴とする請求項７又は８に記載の補聴器。
【請求項１０】
第１集音機器と第２集音機器との双方を備える集音機器セットであって、
前記第１集音機器は、
左目の視線情報を検出する左目視線検出部と、
左側音声信号を出力する左マイクと、
前記第２集音機器から右目視線情報及び右側音声信号を受信する左側受信部と、
受信した前記右目視線情報及び前記左目視線検出部が検出する左目視線情報を用いて、前記左側音声信号、及び前記右側音声信号を信号処理して、前記左マイクを制御する左側制御部と、
前記左側制御部が出力する左側音声出力信号を放音する左スピーカと、
前記左目視線検出部、前記左マイク、前記左側受信部、及び前記左側制御部を耳部に装着する左側装着部と
を備え、
前記第２集音機器は、
右目の視線情報を検出する右目視線検出部と、
右側音声信号を出力する右マイクと、
前記第１集音機器から左目視線情報及び左側音声信号を受信する右側受信部と、
受信した前記左目視線情報及び前記右目視線検出部が検出する右目視線情報を用いて、前記右側音声信号、及び前記左側音声信号を信号処理して、前記右マイクを制御する右側制御部と、
前記右側制御部が出力する右側音声信号を放音する右スピーカと、
前記右目視線検出部、前記右マイク、前記右側受信部、及び前記右側制御部を耳部に装着する右側装着部と
を備える
ことを特徴とする集音機器セット。
【発明の詳細な説明】
【技術分野】
【０００１】
本発明は、集音機器、補聴器、及び集音機器セットに関する。
【背景技術】
【０００２】
補聴器などの集音を補助する補助デバイスは、音場を検出してマイクの指向性の修正を自動的に行っていた。この場合、近くの人との会話など、音源の領域がある程度制限され、少し離れた所で話している人の声が聴きにくいという問題があった。これを解決することを目的として、例えば、特許文献１は、顔の正面方向の音を取得する指向性マイク及び外部入力端子を備え、指向性マイクで収音された音が外部機器のものかどうかを判定する技術を開示している。また、特許文献２は、装着者の視線を測定検出し、指向性マイクロホンのビーム方向が検出方向になるようにマイクをモータで駆動する技術を開示している。また、特許文献２は、視線や脳波によって指向性のビーム幅を変更する技術を開示している。
【先行技術文献】
【特許文献】
【０００３】
【特許文献１】特開２０１２−１００１６０号公報
【特許文献２】特開平９−３２７０９７号公報
【発明の概要】
【発明が解決しようとする課題】
【０００４】
しかしながら、特許文献１の技術は、視線による方向の調整を行う方法は提案していなかった。また、特許文献２の技術は、視線によってビーム幅を変更していたが、視線方向については、考慮されていなかった。つまり、特許文献１，２の技術は、マイクのポーラパターンを視線の方向に合わせていなかった。
【０００５】
本発明は、このような問題を解決するためになされたものであり、ユーザの視線方向の感度を高めるようにマイクを制御することができる集音機器、補聴器、及び集音機器セットを提供することを目的とする。
【課題を解決するための手段】
【０００６】
前記課題を解決するために、本発明の集音機器は複数のマイクに対して、視線方向の感度が高まるように指向性を制御する。つまり、制御部は、視線検出部が検出した眼の視線情報（眼電位や、瞳孔又は光彩の位置等）に基づいて、視線の方向や視差角を演算し、演算結果に基づいて、マイク駆動部によりそれぞれの複数のマイクのそれぞれの向きを視線の方向の感度が高まる方向に変更する。
【発明の効果】
【０００７】
本発明によれば、ポーラパターンを視線の方向に合わせることができる。
【図面の簡単な説明】
【０００８】
【図１】第１実施形態における集音機器の内部構成を示す斜視図である。
【図２】第１実施形態における集音機器の構成図である。
【図３】第１実施形態における集音機器セットの使用方法を示す図である。
【図４】ＥＯＧ法の基本原理を示す説明図である。
【図５】眼球の傾斜と眼電位との関係を示す説明図である。
【図６】話者の位置と視差角との関係を示す説明図である。
【図７】左右の角度差と距離との関係を示す図である。
【図８】話者の位置とポーラパターンとの関係を示す図である。
【図９】第１実施形態における集音機器の動作を示すフローチャートである。
【図１０】第２実施形態における集音機器の外観を示す斜視図である。
【図１１】第２実施形態における集音機器が眼電位を測定する測定位置を示す図である。
【図１２】第３実施形態における集音機器の外観を示す斜視図である。
【図１３】第３実施形態における集音機器の視線検出方法を説明する説明図である。
【図１４】第４実施形態における集音機器の外観を示す斜視図である。
【図１５】第４実施形態における集音機器の視線検出方法を説明する説明図である。
【発明を実施するための形態】
【０００９】
以下、図面を参照して、本発明の実施の形態（以下、「本実施形態」と称する）につき詳細に説明する。なお、各図は、本実施形態を十分に理解できる程度に、概略的に示してあるに過ぎない。また、各図において、共通する構成要素や同様な構成要素については、同一の符号を付し、それらの重複する説明を省略する。
【００１０】
（第１実施形態）
図１は、第１実施形態における集音機器の内部構成を示す斜視図である。
集音機器１０は、左右一組で使用される耳掛け型の補聴器である。集音機器１０は、スピーカ１と、マイク２と、音の出口３と、制御部４と、バッテリ５と、イヤワイヤ６と、マイクカバー７と、眼電位センサ８（８ａ）と、接地電極８ｃと、入力装置１３と、本体カバー１６とを備える。ここで、バッテリ５や本体カバー１６等は、耳に装着する装着部１５を構成する。なお、左用の集音機器（補聴器）１０ａ（図３）が眼電位センサ８ａを備え、右用の集音機器（補聴器）１０ｂ（図３）が眼電位センサ８ｂを備える。また、左用の接地電極８ｃ、及び右用の接地電極８ｃは、各々、小耳骨の近傍に押圧され、略同電位に維持される。
【００１１】
スピーカ１は、電気音響変換器（レシーバ、発音部）である。マイク２は、単一指向性を有する電気音響変換器であり、上マイク２ａと下マイク２ｂとを備えるとともに、それぞれのマイクの向きを変更する図示しないマイク駆動部を有する。以下、左用の集音機器１０ａのマイクをマイク２Ｌ（図３）と称し、右用の集音機器１０ｂのマイクをマイク２Ｒ（図３）と称する。音の出口３は、耳垢の侵入を防ぐワックスガードが装着される放音部である。制御部４は、ＣＰＵ（Central Processing Unit）やアンプ（増幅回路）等から構成され、プログラムに従って音声信号処理を実行する。バッテリ５は、各部に直流電力を供給する電源であり、例えば、ボタン式空気電池が使用される。イヤワイヤ６は、本体と耳栓とを繋ぐワイヤである。なお、この耳栓は、スピーカ１や音の出口３等で構成される。マイクカバー７は、風が補聴器に当たるときに起こる「風切り音」を軽減する。
【００１２】
眼電位センサ８（８ａ）は、眼球の回転角に応じて変化する電位（眼電位）を検出するものであり、接地電極８ｃの電位を基準電位とする。また、制御部４は、検出した眼電位を用いて、視線の方向（顔の正面方向に対する角度）を演算し、演算された方向、及び左右の視差角を用いて、マイク２（左のマイク２Ｌ，右のマイク２Ｒ）のポーラパターン（指向性）を決定する。そして、制御部４は、決定されたポーラパターンに従って、マイク駆動部によりそれぞれの左右のマイク２Ｌ，２Ｒそれぞれの向きを視線の方向の感度が高まる方向に変更する。或いは、マイクの左右のマイク２Ｌ，２Ｒの音声信号の何れか一方を適切に遅延させ、その遅延音声信号と他方の音声信号とを逐次合成する音声信号処理を実行することで、制御部４は、話者の方向から到来する音声信号の時間差を無くして、左右の音声信号を強調させ、他の方向から到来する音声信号の位相をずらして、減衰させる。
【００１３】
図２は、第１実施形態における集音機器の構成図である。  
集音機器１０ａは、前記した制御部４、マイク２（２ａ，２ｂ）、スピーカ１、及び眼電位センサ８に加えて、さらに記憶部１２と、入力装置１３と、受信部１４とを備える。記憶部１２は、音声信号処理のワーキングメモリとして使用されるＲＡＭ（Random Access Memory）と、例えば、入力装置１３から入力された使用者固有の設定条件を格納するＲＯＭ（Read Only Memory）とを備える。
【００１４】
一方の集音機器１０ａの受信部１４は、Bluetooth（登録商標）で対となる他方の集音機器１０ｂと無線通信を行う。例えば、左側の集音機器１０ａの受信部１４は、対となる右側の集音機器１０ｂから眼電位乃至視線の角度を視線情報として受信し、右側のマイク２Ｒの音声信号（他の音声信号）を受信する。また、集音機器１０ａの受信部１４は、自装置の視線情報、及び自装置の音声信号を対となる他方の集音機器１０ｂに送信する。
【００１５】
図３は、第１実施形態における集音機器セットの使用方法を示す図である。
集音機器セット１００は、両耳装用タイプの補聴器セットであり、２つの集音機器１０ａ，１０ｂが無線通信（Bluetooth（登録商標））で通信可能に接続されている。これにより、集音機器１０ａは、自装置の視線情報（眼電位センサ８ａに基づく視線情報）、及び他装置（集音機器１０ｂ）の視線情報（眼電位センサ８ｂに基づく視線情報）と、自装置の音声信号（マイク２Ｌの音声信号）、及び他装置の音声信号（マイク２Ｒの音声信号）を取得することができる。集音機器１０ａ，１０ｂは、同一人の左耳と右耳とに装着されて使用される。
【００１６】
図４は、ＥＯＧ（Electro-oculogram）法の基本原理を示す説明図であり、図４（ａ）が正面を向いている場合を示し、図４（ｂ）が左を向いている場合を示し、図４（ｃ）が右を向いている場合を示す。左目の近傍に眼電位センサ８ａが配置され、右目の近傍に眼電位センサ８ｂが配置されている。また、眼球は、正面側に正の電荷を有し、背面側に負の電荷を有した電気双極子で表現される。ここで、電気双極子の中心は、眼電位センサ８ａと眼電位センサ８ｂとを結ぶ軸を通るとする。
【００１７】
図４（ａ）の正面を向いた場合、電気双極子は、前後方向に対して平行になるので、眼電位は、正負打ち消されて、ほぼ接地電位となる。なお、図４（ａ）は、目標とする話者が無限遠方に居る場合であり、図７を用いて後記する視差角（θＲ−θＬ）＝０の場合である。図４（ｂ）の左を向いた場合、電気双極子は左方向に傾斜する。これにより、左目の眼電位センサ８ａは、正の眼電位を検出し、右目の眼電位センサ８ｂは、負の眼電位を検出する。図４（ｃ）の右を向いた場合、電気双極子は右方向に傾斜する。これにより、左目の眼電位センサ８ａは、負の眼電位を検出し、右目の眼電位センサ８ｂは、正の眼電位を検出する。つまり、両目の近傍に配置された２つの眼電位センサ８ａ，８ｂが検出する眼電位の極性によって、制御部４（図２）は、正面を向いているか、左を向いているか、右を向いているかの判定を行うことができる。
【００１８】
図５は、眼球の傾斜と眼電位との関係を示す説明図である。
眼電位センサ８（８ａ）は、眼球の近傍に配設されている。眼球の回転は、正負の電荷を有する電気双極子の回転で表現される。眼電位センサ８ａと電気双極子の中心Ｍとを結ぶ直線ＭＮと、正面方向とがなす角度をφとし、電気双極子（視軸）の回転角をθとする。このとき、電気双極子（視軸）が回転したときの電気双極子と、直線ＭＮとがなす角度は、（φ−θ）となる。
【００１９】
眼電位センサ８が検出する電気双極子の電位（眼電位）φ（ｒ）は、
φ（ｒ）＝１／（４πε０）・ｐcos（φ−θ）／ｒ２
である。つまり、眼電位φ（ｒ）の変化から回転角θが分かる。ここで、ｒは、電気双極子の中心と眼電位センサ８との距離であり、ｐは、電気双極子の長さｄと電荷ｑとの積である。
【００２０】
図６は、話者の位置と視差角との関係を示す説明図である。
両眼（左目，右目）を通る軸（ｘ軸）と直交し、話者Ｐを通る軸（ｙ軸）と、左目とがなす角度をθＬとし、ｙ軸と右目とがなす角度をθＲとすると、視差角は、（θＲ−θＬ）である。視差角（θＲ−θＬ）の弧の長さｌは、話者Ｐからの距離をＲとすると、ｌ＝Ｒ（θＲ−θＬ）である。両眼の間隔ＤをＤ≒ｌで近似すると、話者Ｐまでの距離ＲはＲ≒Ｄ／（θＲ−θＬ）となる。
【００２１】
したがって、左目の眼電位φＬ（ｒ）の変化から左目の視線方向（眼球の回転角θＬ）が分かり、右目の眼電位φＲ（ｒ）の変化から右目の視線方向（眼球の回転角θＲ）が分かる。また、視差角（θＲ−θＬ）を用いて、集音機器セット１００を装着した装着者の両眼から話者Ｐまでの距離Ｒを演算することができる。
【００２２】
図７は、左右の視差角と距離との関係を示す図であり、図７（ａ）が視差角θが大きい場合であり、図７（ｂ）が左右の視差角θが小さい場合である。なお、図７（ａ）（ｂ）の何れも、正面を向いた状態である。
図７（ａ）においては、視差角θが大きいので、話者との距離Ｌ１は短い。図７（ｂ）においては、視差角θが小さいので、話者との距離Ｌ２は長い。また、眼球の電気双極子は、内側を向いているので、左右の眼電位センサ８ａ，８ｂが検出する眼電位は、負極となる。つまり、正面を向いたときは、左右の眼電位センサ８ａ，８ｂが検出する眼電位は、同極となる。
【００２３】
図８は、話者の位置とポーラパターンとの関係を示す図である。
集音機器セット１００を装着した装着者（ユーザ）は、３人の話者Ａ，Ｂ，Ｃの何れかの音声を聞くとする。また、話者Ａはユーザに対して左側から話しかけ、話者Ｂはユーザに対して正面から話しかけ、話者Ｃはユーザに対して右側から話しかけるものとする。また、話者Ａとユーザとの距離は、話者Ｂとユーザとの距離に等しく、話者Ｃとユーザとの距離は、話者Ａ，Ｂとの距離よりも長いとする。
【００２４】
話者Ａの音声を聞くためには、マイク２のポーラパターンＡは、その中心軸を左側方向に合わせるのが好ましい。話者Ｂの音声を聞くためには、マイク２のポーラパターンＢは、その中心軸を正面方向に合わせるのが好ましい。話者Ｃの音声を聞くためには、マイク２のポーラパターンＣは、その中心軸を右側方向に合わせるのが好ましい。また、話者Ｃの音声を聞くときのポーラパターンＣは、話者Ｃとの距離が話者Ａ，Ｂよりも長いので、話者Ａ，Ｂの音声（雑音）を減らすために、ポーラパターンＡ，Ｂの幅よりも細くすることが好ましい。
【００２５】
このような状況下において、マイク２のポーラパターンが無指向性の場合は、話者Ｂと会話している場合であっても、話者Ａ、Ｃの声も同様に聞こえるため、会話に集中できない。またマイク２が単一指向性であり、ユーザの正面の感度が高まるように設定されている場合では、ユーザがわざわざ話者の方向に正面を向けなければならない。しかしながら、顔や体の向きによらず、視線方向の感度が高まるようにマイク２のポーラパターンを変更することで、より自然な動作で注目する人物、物体（音源）から音声を集音することができる。
【００２６】
ところで、ポーラパターン（感度曲線、指向特性）の指向角は、マイク２の感度レベルが６ｄＢ低下する位置間の角度（つまり、感度が１／２になる角度（いわゆる半値角））と定義される。したがって、左右の眼電位を用いて演算した視差角（θＲ−θＬ）と、ポーラパターンの指向角とを比例させればよい。これにより、遠くの話者のときに、ポーラパターンが狭くなり、近くの話者のときに、ポーラパターンが太くなる。ここで、マイク２の感度レベルは、平面進行正弦波の自由音場内にマイクロホンを置いたとき，その出力端子に生じる開放出力電圧と自由音場音圧との比のデシベル値をいう。このとき１［Ｖ／Ｐａ］を０ｄＢとする（JIS  C  5502-1991）。
【００２７】
図９は、第１実施形態における集音機器の動作を示すフローチャートである。
このルーチンは、集音機器１０ａの電源投入やリセットにより、起動する。
制御部４（図２）は、対になる集音機器１０ｂから眼電位の情報（視線方向の角度θＲ）を、受信部１４に受信させる（Ｓ１）。
【００２８】
Ｓ１の後、制御部４は、自装置の眼電位センサ８で眼球の眼電位φＬを測定する（Ｓ３）。Ｓ３の後、制御部４は、視線方向（角度θＬ）、及び視差角（θＬ−θＲ）を算出する（Ｓ５）。Ｓ５の後、制御部４は、算出した視線方向、及び視差角（θＬ−θＲ）に基づいて、マイク２のポーラパターンを決める（Ｓ７）。Ｓ７の後、対になる集音機器１０ｂから、一定期間の音声信号を受信する（Ｓ９）。Ｓ９の後、マイク２を用いて、自装置の音声信号を取得する（Ｓ１１）。Ｓ１１の後、自装置の音声信号、及び対になる集音機器１０ｂの音声信号を用いて、自装置（集音機器１０ａ）側の音声出力信号を生成する（Ｓ１３）。これにより、スピーカ１は、放音する。そして、Ｓ１に戻り、これらの処理を繰り返す。そして、割込み等により、これらの処理が停止する。なお、対になる他装置（集音機器１０ｂ）は、同様に、双方のマイク２Ｌ，２Ｒの音声信号を合成して、集音機器１０ｂ側の音声出力信号を生成し、スピーカ１が放音する。
【００２９】
以上説明したように、集音機器セット１００を構成する集音機器１０ａ，１０ｂは、マイク２、スピーカ１、眼電位センサ８、及び制御部４を備える補聴器である。制御部４は、眼電位に基づいて、視線の方向（角度θＬ，θＲ）や、視差角（θＲ−θＬ）を演算することができる。制御部４は、視線の方向（角度θＬ，θＲ）や、視差角（θＲ−θＬ）に基づいて、マイク２のポーラパターンの方向や幅を決定し、マイク２（２Ｌ，２Ｒ）の音声信号処理を実行する。そして、制御部４は、自装置の音声出力信号をアンプで増幅し、増幅された音声出力信号をスピーカ１に出力する。
【００３０】
（第２実施形態）
前記第１実施形態の集音機器セット１００は、左右の何れか一方の耳に掛ける集音機器１０ａと、他方の耳に掛ける集音機器１０ｂとの双方で機能を実現していたが、本実施形態の集音機器は、眼鏡型であり、単一機器で同等の機能を実現する。
【００３１】
図１０は、第２実施形態における集音機器の外観を示す斜視図である。
集音機器２０は、眼鏡型の装着部２４と、左右のテンプルに取り付けられた眼電位センサ９ａ，９ｂと、左右のリムに取り付けられた複数の眼電位センサ９ｃ，９ｄ，９ｅ，９ｆ，９ｇ，９ｈと、ブリッジに取り付けられた接地電極９ｉと、左右のテンプルに取り付けられた音響変換部２５Ｌ，２５Ｒとを備える。
【００３２】
眼電位センサ９ａ，９ｂ，９ｃ，９ｄ，９ｅ，９ｆ，９ｇ，９ｈは、前記第１実施形態の眼電位センサ８と同様の機能を有するが、接地電極９ｉを共通の接地電極とする点で相違する。音響変換部２５Ｌ，２５Ｒは、マイク２、スピーカ（レシーバ）１、制御部４、バッテリ等を備え（図２）、装着部２４のテンプル、リム、ブリッジの内部通過するケーブル（図示せず）を介して有線で通信可能に接続されている。
【００３３】
図１１は、第２実施形態における集音機器が眼電位を測定する測定位置を示す図である。
顔に示す位置は、眼電位センサ９ａ，９ｂ，９ｃ，９ｄ，９ｅ，９ｆ，９ｇ，９ｈが顔に近接する位置、及び接地電極９ｉが顔に当接する位置である。第１実施形態の眼電位センサ８（図１）と異なり、集音機器２０は、眼の上下左右に眼電位センサを設けているので、眼球の移動方向（眼電位の極性）に応じて、適切な眼電位センサを用いたり、重み付けを行ったりすることができる。このため、集音機器２０は、より正確に視線の方向を検出することができる。
【００３４】
（第３実施形態）
前記第１，２実施形態の集音機器１０，２０は、眼電位センサ８，９を用いて視線を検出したが、可視カメラを用いても視線を検出することができる。
【００３５】
図１２は、第３実施形態における集音機器の外観を示す斜視図である。
集音機器３０は、眼鏡型の装着部２４と、左右のリムに取り付けられた超小型可視カメラ２１Ｌ，２１Ｒと、左右のテンプルに取り付けられた音響変換部２５Ｌ，２５Ｒとを備える。超小型可視カメラ２１Ｌ，２１Ｒは、眼の画像を撮像するように配設されている。なお、超小型可視カメラ２１Ｌ，２１Ｒは、リムの下側に固定されているが、上側に固定されても構わない。
【００３６】
図１３は、第３実施形態における集音機器の視線検出方法を説明する説明図である。
目の表面は、結膜、虹彩、瞳孔から構成されている。超小型可視カメラ２１Ｌ，２１Ｒが目頭、及び虹彩を撮像し、音響変換部２５Ｌ，２５Ｒの内部の制御部４（図２）は、目頭（基準点）に対する光彩（動点）の位置に基づいて、視線を検出する。例えば、制御部４は、左目の虹彩と目頭とが離間していれば、左側を見ていると判定し、左目の目頭と虹彩とが近ければ、右側を見ていると判定する。
【００３７】
（第４実施形態）
前記第３実施形態の集音機器３０は、可視カメラを用いたが、赤外カメラを用いることもできる。
【００３８】
図１４は、第４実施形態における集音機器の外観を示す斜視図である。
集音機器３１は、眼鏡型の装着部２４と、左右のリムに取り付けられた超小型赤外線カメラ２２Ｌ，２２Ｒと、左右のリムに取り付けられた赤外線ＬＥＤ２３Ｌ，２３Ｒと、左右のテンプルに取り付けられた音響変換部２５Ｌ，２５Ｒとを備える。超小型赤外線カメラ２２Ｌ，２２Ｒは、眼の赤外画像を撮像する。赤外線ＬＥＤ２３Ｌ，２３Ｒは、赤外線で眼を照明する。なお、超小型赤外線カメラ２２Ｌ，２２Ｒや、赤外線ＬＥＤ２３Ｌ，２３Ｒは、リムの下側に固定されているが、上側に固定されても構わない。
【００３９】
図１５は、第４実施形態における集音機器の視線検出方法を説明する説明図である。
超小型赤外線カメラ２２Ｌ，２２Ｒは、赤外線ＬＥＤ２３Ｌ，２３Ｒを点灯させつつ、制御部４（図２）は、角膜で反射する角膜反射（光源の像）の位置（基準点）に対する瞳孔（動点）の位置に基づいて、視線を検出する。制御部４は、例えば、左目の角膜反射よりも瞳孔が目じり側にあれば、左側を見ていると判定し、角膜反射よりも瞳孔が目頭側にあれば、右側を見ていると判定する。
【００４０】
（変形例）
本発明は前記した実施形態に限定されるものではなく、例えば、以下のような種々の変形が可能である。
（１）前記実施形態の集音機器１０，３０，３１は、左右にマイクを備えていたが、これに限らず、マイクは左右の何れか一方のみとし、左右の視線方向に基づいて、左右の何れか一方に備えられたマイクの向きを制御するようにしてもよい。
（２）前記実施形態の集音機器１０，３０，３１は、左右にマイクを備えていたが、眼鏡型の装着部であれば、リムに複数のマイク２を左右方向に離間して配設することができ、マイクアレイを構成することができる。これにより、位相差を有した音声信号が複数得られるので、制御部４（図２）は、ポーラパターンの幅を適切に変更することができる。
【００４１】
（３）前記第１実施形態の集音機器セット１００は、左右に制御部４（図２）を備えていた。つまり、左側の集音機器１０ａは、自装置（集音機器１０ａ）のマイク２Ｌで取得した音声信号と他装置（集音機器１０ｂ）のマイク２Ｒで取得した音声信号との何れか一方を遅延させ、その遅延音声信号と他方の音声信号とを合成し、自装置側（左側）の音声出力信号を生成した。一方、右側の集音機器１０ｂは、自装置（集音機器１０ｂ）のマイク２Ｒで取得した音声信号と他装置（集音機器１０ａ）のマイク２Ｌで取得した音声信号との何れか一方を遅延させ、その遅延音声信号と他方の音声信号とを合成し、自装置側（右側）の音声出力信号を生成した。
【００４２】
これに対して、集音機器セット１０１は、一方の集音機器１０ｃのみ音声信号処理を実行する制御部４（図２）を備え、他方の集音機器１０ｄは、音声信号処理を実行しない制御部４ｂとすることができる。つまり、左側の集音機器１０ｃは、自装置（集音機器１０ｃ）のマイク２Ｌで取得した音声信号と他装置（集音機器１０ｄ）のマイク２Ｒで取得した音声信号との何れか一方を遅延させ、その遅延音声信号と他方の音声信号とを合成し、自装置側（左側）の音声出力信号を生成すると共に、他装置側（集音機器１０ｄ）の音声出力信号を生成する。そして、制御部４は、受信部１４を介して、他装置側に音声出力信号を送信するようにすることができる。
【００４３】
（４）前記実施形態は、眼電位センサを用いたが、サーチコイル法を用いても、眼電位を測定し、視線を検出することもできる。
【００４４】
［付記〕
＜請求項１＞
眼の視線情報を検出する視線検出部と、
マイクと、
前記視線検出部によって検出された前記視線情報を用いて、前記眼の視線方向の感度を他の方向よりも高めるように前記マイクを制御する制御部と、
を備えることを特徴とする集音機器。
＜請求項２＞
他の機器から、前記視線情報とは異なる他の視線情報を受信する受信部をさらに備え、
前記制御部は、前記視線情報及び前記他の視線情報とを用いて、前記眼の視線方向の感度を他の方向よりも高めるように前記マイクを制御する
ことを特徴とする請求項１に記載の集音機器。
＜請求項３＞
前記マイクは、第１マイクと、第２マイクとからなり、
前記制御部は、前記視線情報を用い、前記第１マイクの音声信号、及び前記第２マイクそれぞれを制御する
ことを特徴とする請求項１に記載の集音機器。
＜請求項４＞
前記視線検出部及び前記マイクを頭部又は耳部に装着する装着部を更に備え、
前記視線情報は、両眼の情報を用いたものであり、
前記マイクは、前記装着部の左右に備えられており、
前記制御部は、左右の前記視線情報を用いて、左右の前記マイクそれぞれを制御する
ことを特徴とする請求項１に記載の集音機器。
＜請求項５＞
前記視線検出部は、眼電位を検出することで視線を検出するものである
ことを特徴とする請求項１から４のいずれかに記載の集音機器。
＜請求項６＞
前記視線検出部は、撮像部によって撮像された眼の瞳孔又は光彩の位置から視線を検出する
ことを特徴とする請求項１から４のいずれかに記載の集音機器。
＜請求項７＞
眼の視線情報を検出する視線検出部と、
マイクと、
前記視線検出部が検出した前記視線情報を用いて、前記眼の視線方向の感度を他の方向よりも高めるように前記マイクを制御する制御部と、
スピーカと、
を備えることを特徴とする補聴器。
＜請求項８＞
前記制御部を耳部に装着する装着部を更に備え、
前記マイクは、前記装着部の上下方向に複数配設されている
ことを特徴とする請求項７に記載の補聴器。
＜請求項９＞
対になる他の補聴器から視線情報、及び音声信号を受信する受信部を更に備え、
制御部は、
前記視線検出部が検出した視線情報、及び前記受信部が受信した前記他の補聴器の視線情報を用いて、ユーザの眼の視線方向の感度を他の方向よりも高めるように前記マイクを制御する
ことを特徴とする請求項７又は８に記載の補聴器。
＜請求項１０＞
第１集音機器と第２集音機器との双方を備える集音機器セットであって、
前記第１集音機器は、
左目の視線情報を検出する左目視線検出部と、
左側音声信号を出力する左マイクと、
前記第２集音機器から右目視線情報及び右側音声信号を受信する左側受信部と、
受信した前記右目視線情報及び前記左目視線検出部が検出する左目視線情報を用いて、前記左側音声信号、及び前記右側音声信号を信号処理して、前記左マイクを制御する左側制御部と、
前記左側制御部が出力する左側音声出力信号を放音する左スピーカと、
前記左目視線検出部、前記左マイク、前記左側受信部、及び前記左側制御部を耳部に装着する左側装着部と
を備え、
前記第２集音機器は、
右目の視線情報を検出する右目視線検出部と、
右側音声信号を出力する右マイクと、
前記第１集音機器から左目視線情報及び左側音声信号を受信する右側受信部と、
受信した前記左目視線情報及び前記右目視線検出部が検出する右目視線情報を用いて、前記右側音声信号、及び前記左側音声信号を信号処理して、前記右マイクを制御する右側制御部と、
前記右側制御部が出力する右側音声信号を放音する右スピーカと、
前記右目視線検出部、前記右マイク、前記右側受信部、及び前記右側制御部を耳部に装着する右側装着部と
を備える
ことを特徴とする集音機器セット。
【符号の説明】
【００４５】
１  スピーカ（レシーバ、発音体，電気音響変換器）
２，２Ｒ，２Ｌ  マイク（電気音響変換器）
４  制御部
８，８ａ，８ｂ  眼電位センサ（視線検出部）
８ｃ  接地電極
９，９ａ，９ｂ，９ｃ，９ｄ，９ｅ，９ｆ，９ｇ，９ｈ  眼電位センサ（視線検出部）
９ｉ  接地電極
１０，１０ａ，１０ｂ，１０ｃ，１０ｄ  集音機器（補聴器）
１４  受信部
２０，３０，３１  集音機器
２１，２１Ｒ，２１Ｌ  超小型可視カメラ（視線検出部）
２２，２２Ｒ，２２Ｌ  超小型赤外線カメラ（視線検出部）
２３，２３Ｒ，２３Ｌ  赤外線ＬＥＤ
２５，２５Ｌ，２５Ｒ  音響変換部
１００  集音機器セット
【図１】
2019054385.tif 000003
【図２】
2019054385.tif 000004
【図３】
2019054385.tif 000005
【図４】
2019054385.tif 000006
【図５】
2019054385.tif 000007
【図６】
2019054385.tif 000008
【図７】
2019054385.tif 000009
【図８】
2019054385.tif 000010
【図９】
2019054385.tif 000011
【図１０】
2019054385.tif 000012
【図１１】
2019054385.tif 000013
【図１２】
2019054385.tif 000014
【図１３】
2019054385.tif 000015
【図１４】
2019054385.tif 000016
【図１５】
2019054385.tif 000017